(57)【要約】【課題】直ぐに温められ、かつ、その温度を可及的に維持でき、さらに、搾乳口を乳房に当てた際の緊張感を緩和する乳房加温具、及びこれを利用した搾乳器を提供すること。【解決手段】搾乳時に乳房を覆う搾乳口１８に接続され、搾乳口１８よりも高い温度で発熱する発熱部１５を備えた搾乳用加温具１０であって、発熱部１５は、マイクロ波エネルギーを吸収して発熱するフェライトを有し、発熱部１５を熱硬化性樹脂で被覆することで、搾乳時における搾乳口１８を介した又は直接的な乳房への接触温度が、乳房の温度以上であって、かつ、低温火傷をしない温度以下となるように、発熱部１５から乳房に伝達される温度を低下させる被覆部１２を有する。【選択図】図５
2018047043.tif 000002
【特許請求の範囲】
【請求項１】
搾乳時に乳房を覆う搾乳口に接続され、前記搾乳口よりも高い温度で発熱する発熱部を備えた搾乳用加温具であって、
前記発熱部は、マイクロ波エネルギーを吸収して発熱するフェライトを有し、
前記発熱部を熱硬化性樹脂で被覆することで、搾乳時における前記搾乳口を介した又は直接的な乳房への接触温度が、乳房の温度以上であって、かつ、低温火傷をしない温度以下となるように、前記発熱部から乳房に伝達される温度を低下させる被覆部を有する
ことを特徴とする搾乳用加温具。
【請求項２】
前記被覆部は、前記搾乳口の前記乳房が接触する内周面とは反対側の外周面に配置されることを特徴とする請求項１に記載の搾乳用加温具。
【請求項３】
前記被覆部の前記搾乳口側と反対側の表面温度は、前記接触温度と同等以上であって、かつ、適正に発熱した前記搾乳用加温具が手に触れることで低温火傷をしない温度以下とされている
ことを特徴とする請求項２に記載の搾乳用加温具。
【請求項４】
前記被覆部は、シリコーン樹脂製であって、前記発熱部から前記外周面側の面までの厚み方向の寸法が略１〜２ｍｍであり、
前記発熱部は、シリコーン樹脂に前記フェライトを配合した略０．５〜１ｍｍの厚みを有する板状体であり、
前記発熱部を構成する前記シリコーン樹脂と前記フェライトの重量比は略６：１〜９：１である
ことを特徴とする請求項２又は３に記載の搾乳用加温具。
【請求項５】
前記被覆部は、前記搾乳口を有する略漏斗状のフード部の搾乳器本体に着脱される筒状部が挿通可能な貫通孔と、前記貫通孔から外側に拡がった拡張部とを有し、
前記拡張部は、前記搾乳口の外周面に対応した形状とされている
ことを特徴とする請求項１〜４のいずれかに記載の搾乳用加温具。
【請求項６】
前記搾乳口の外周面には、前記被覆部と係止して位置決めするための位置決め手段が形成されていることを特徴とする請求項５に記載の搾乳用加温具。
【請求項７】
前記拡張部は、前記搾乳口の略ラッパ状の周方向に沿って配置され、かつ、前記周方向の一部が途切れていることを特徴とする請求項５又は６に記載の搾乳用加温具。
【請求項８】
前記被覆部は弾性体であって、前記搾乳口の内周面に配置されることを特徴とする請求項１に記載の搾乳用加温具。
【請求項９】
請求項１〜８のいずれかに記載の搾乳用加温具が接続された前記搾乳口と、
前記搾乳口で囲まれた空間を負圧にするための搾乳器本体と
を有することを特徴とする搾乳器。
【請求項１０】
前記搾乳用加温具は前記搾乳口と分離不可能に接続されていることを特徴とする請求項９に記載の搾乳器。
【請求項１１】
前記搾乳口は、前記搾乳用加温具が接続される領域に温度センサを有し、
前記温度センサの検出結果に基づいて、前記乳房の低温火傷を招く温度以上であることを使用者に報知する報知部が設けられている
ことを特徴とする請求項９又は１０に記載の搾乳器。
【発明の詳細な説明】
【技術分野】
【０００１】
本発明は、搾乳時に乳房を温める搾乳用加温具、及びこれを利用した搾乳器に関する。
【背景技術】
【０００２】
乳児に直接母乳を与えることが困難な場合、乳頭が傷ついている場合、乳腺炎を予防する場合などに、母乳を取り出す搾乳器が用いられている。
この搾乳器は、乳房を覆う搾乳口を有する漏斗状のフード部と、このフード部が接続されると共に、搾乳した母乳を貯留する容器が接続される搾乳器本体と、この搾乳器本体を介して搾乳口で囲まれた空間に負圧を与えたり解除しりするためのポンプ部とを有している。
【０００３】
このような搾乳器を用いて搾乳をする際、使用者は乳房を搾乳口に密着させて使用するため、冷たい搾乳口が乳房を冷やすことになる。この乳房の冷えは、血行を悪化させて血液の量が減ることで母乳の出を悪くさせ、また、乳房に急に冷たい搾乳口を接触させることで緊張状態を生じさせ、この緊張により、母乳を出すためのホルモンが減少することも分かってきた。このため、搾乳する際は、搾乳口は適度に温められているのが好ましい。
【０００４】
従来、搾乳口を加温するための装置としては、例えば特許文献１に示すブレストキャップがある。即ち、特許文献１の図１に示されるように、ブレストキャップ（フード部）の乳房と接触する内面には、薬用パラフィン等の蓄熱材であるゲル状の抵抗発熱体が収容されたパッド１６が設けられている。そこで、使用者は、搾乳前にこのパッド１６を湯で加温するなどして温め、これにより搾乳時の冷えを解消させている。
また、特許文献１では、その図２に示されるように、ブレストキャップには、パッド１６だけではなく、抵抗電熱線からなる加温器９も有している。これにより、パッド１６が冷えてきても、加温器９に電力供給して発熱させ、これにより、搾乳中であっても乳房の冷えを解消させている。なお、抵抗電熱線からなる加温器だけで乳房を温める従来の搾乳器については、例えば特許文献２もある。
【先行技術文献】
【特許文献】
【０００５】
【特許文献１】特許第４４３１５８３号公報
【特許文献２】特表２００９−５２０５２４号公報
【発明の概要】
【発明が解決しようとする課題】
【０００６】
ところで、特許文献１の図１に示す薬用パラフィン等が収容されたパッド１６による蓄熱材方式では、パッド１６を湯等で温める必要があり、温めるのに時間がかかって、その作業が大変である。しかも、パッド１６は直ぐに冷えてしまうため、結局、特許文献１の図２に示すように、抵抗電熱線からなる加温器をフード部に設ける必要がある。
しかし、この抵抗電熱線による電気ヒーター式では、搾乳中に搾乳口に通電をする必要があり、電源を必要としない手動式搾乳器には使用できない。また、電動式搾乳器についても、抵抗電熱線が見えただけで使用者は緊張をし、このちょっとした緊張感が母乳の出を悪くさせる原因につながってしまう。母乳の出は精神状態に相当に左右されるものである（特許文献２も同様に電気ヒーター式であり、同じ問題が存在する）。更に、電気ヒーター式では薬液及び煮沸消毒を行うこともできない。
なお、発明者は、その他にも蒸しタオル・湯たんぽ・カイロ方式などの様々な方式を試みたが、いずれも加温に時間がかかったり、温度が直ぐに低下したりするなどの問題があることが分かった。
【０００７】
本発明は、以上の事情に鑑みてなされたものであり、直ぐに温められ、かつ、その温度を可及的に維持でき、さらに、搾乳口を乳房に当てた際の緊張感を緩和する乳房加温具、及びこれを利用した搾乳器を提供することを目的とする。
【課題を解決するための手段】
【０００８】
上記課題は、本発明によれば、搾乳時に乳房を覆う搾乳口に接続され、前記搾乳口よりも高い温度で発熱する発熱部を備えた搾乳用加温具であって、前記発熱部は、マイクロ波エネルギーを吸収して発熱するフェライトを有し、前記発熱部を熱硬化性樹脂で被覆することで、搾乳時における前記搾乳口を介した又は直接的な乳房への接触温度が、乳房の温度以上であって、かつ、低温火傷をしない温度以下となるように、前記発熱部から乳房に伝達される温度を低下させる被覆部を有する搾乳用加温具により解決される。
【０００９】
本発明の構成によれば、搾乳口よりも高い温度で発熱する発熱部を備えた搾乳用加温具は、搾乳時に乳房を覆う搾乳口に接続されるため、例えば搾乳口の外周面側に接続すれば、搾乳口を温めて乳房の冷却を防止することができる。また、搾乳口の内周面側に接続すれば、暖かい搾乳用加温具を直接、乳房に接触させて、乳房の冷却を防止できる。なお、本発明の搾乳用加温具の搾乳口への接続構造は着脱式と固定式のいずれあっても構わない。
ここで、発熱部は、マイクロ波エネルギーを吸収して発熱するフェライト（酸化鉄）を有している。従って、使用者は発熱部を電子レンジで短時間に加熱することができる。また、このフェライトが配合された発熱部は、搾乳時間に対応した長い時間（例えば片胸に約１０分）、少なくとも温度が大きく低下する事態も防止できる。
ところで、フェライトは食品を加熱する等の利用方法が多く、一般的なフェライトを配合した発熱部では逆に温度が高過ぎることになる。しかし、本発明の構成によれば、搾乳時における搾乳口を介した又は直接的な乳房への接触温度が、乳房が低温火傷をしない温度となるように、発熱部から乳房に伝達される温度を低下させる被覆部を有している。従って、この被覆部が緩衝材になって、長い時間搾乳しても、乳房の低温火傷を防止できる（例えば、該接触温度を４６℃となるように被覆部を厚くすれば、３０分程度は皮膚に接触させ続けても低温火傷にならず、安全率を見て長い搾乳時間であったとしても低温火傷を確実に防止できる）。
また、この接触温度は、乳房の温度以上であれば、少なくとも搾乳口を乳房に接触させた際のヒヤッと感から生じる緊張を回避して、ホルモン分泌の減少を防止することもできる。なお、緊張感について言えば、抵抗電熱線もないので、それだけでも使用者の緊張感を緩和できる。
しかも、この被覆部は熱硬化性樹脂であるため、発熱部を電子レンジで加熱する際に変形・溶融することもなく、例えば、搾乳口に対して着脱可能に接続する場合は、搾乳口に合った適切な形状を保持できる。
さらに、この搾乳用加温具は樹脂製の被覆部で覆われているため、搾乳用加温具の搾乳口への接続構造が着脱式と固定式のいずれを問わず、薬液及び煮沸消毒を行うこともでできる。
なお、上記「乳房への接触温度」は、好ましくは乳房に最初に接触する温度であるが、多少前後しても構わない。また、搾乳している最中に乳房から搾乳口を長時間外し、再び乳房に接触する際の接触温度は除かれる。
【００１０】
また、好ましくは、前記被覆部は、前記搾乳口の前記乳房が接触する内周面とは反対側の外周面に配置されることを特徴とする。
そうすると、搾乳口の外周面に配置された搾乳用加温具の発熱部の熱は搾乳口を介して乳房へ伝達するため、被覆部だけではなく搾乳口も熱的な緩衝材になる。従って、搾乳口が緩衝材になる分、被覆部の厚みを抑制でき、搾乳用加温具の重量を抑えて、使用者の搾乳による疲れを軽減できる。
【００１１】
また、好ましくは、前記被覆部の前記搾乳口側と反対側の表面温度は、前記接触温度と同等以上であって、かつ、適正に発熱した前記搾乳用加温具が手に触れることで低温火傷をしない温度以下とされていることを特徴とする。
従って、加熱した搾乳用加温具の温度を搾乳前に手で容易に感じられるようにして、火傷を未然に防止できる。
即ち、もしも、加熱部から被覆部の搾乳口と反対側の表面までの厚みを大きくして、該表面に手を当てて余り熱を感じられなくしてしまうと、加熱し過ぎた発熱部に気づかずに、搾乳口を介して乳房に接触させてしまうことになり、火傷の危険がある。なお、このことは搾乳用加温具の搾乳口への接続構造が着脱式である場合も固定式である場合も同様である。
そこで、例えば被覆部の搾乳口と反対側の表面と発熱部との厚み方向の寸法を大きくせずに、あえて該表面の温度を乳房への接触温度と同等以上にすることによって、使用者は加熱した搾乳用加温具の温度を搾乳前に手で容易に感じられるようにした。従って、例えば搾乳用加温具が着脱式であれば、過熱した搾乳用加温具の搾乳口への装着を躊躇させて、乳房の火傷を未然に防止できる。また、固定式でも、搾乳口を乳房にあてがう前に過熱した温度を感じて、乳房の火傷を未然に防止できる。
また、被覆部の該表面温度は、適正に発熱した搾乳用加温具を搾乳口に装着する際に低温火傷をしない温度以下とされているので、例えば搾乳用加温具が着脱式であっても、手を火傷することなく搾乳口に装着できる。なお、上記「適正に発熱」とは仕様に反した異常な使い方を除く趣旨であり、搾乳用加温具を仕様にそって電子レンジで加熱し、搾乳用加温具の搾乳口を介した乳房への接触温度が低温火傷しない温度以下となっている状態における発熱を指す。
【００１２】
また、好ましくは、前記被覆部はシリコーン樹脂製であって、前記発熱部から前記外周面側の面までの厚み方向の寸法が略１〜２ｍｍであり、前記発熱部は、シリコーン樹脂に前記フェライトを配合した略０．５〜１ｍｍの厚みを有する板状体であり、前記発熱部を構成する前記シリコーン樹脂と前記フェライトの重量比は略６：１〜９：１であることを特徴とする。
かかる構成であれば、電子レンジにより迅速に（例えば５００Ｗの出力の電子レンジであれば６０秒前後で）有効な加熱が可能になると共に、搾乳口を介した乳房への接触温度を心地よい温度にして母乳の出を促進することができる。
即ち、乳房の低温火傷を防止するだけであれば、例えば発熱部のシリコーン樹脂のフェライトに対する重量比を２以上にするなどして、搾乳口を介した乳房への接触温度を約４６℃に抑えればよい（４６℃は３０分程度は皮膚に接触させ続けても低温火傷にならない温度であり、通常、片胸約１０分程度を要する搾乳時間の安全率を見て長い搾乳時間であったとしても、低温火傷を有効に防止できる温度である）。しかし、より積極的に搾乳を促すには、単に低温火傷を防止するだけではなく、使用者に心地良さを与えることが好ましい。そこで、実験の結果、上記構成であれば、適切に加熱した搾乳用加温具を一般的なポリプロピレン製などの搾乳口の外周面に密着するように配置した際、搾乳口の乳房が接触する内周面側の温度を略３７〜４２℃にできることが分かった。この３７℃は通常の体温よりも若干高めの温度であり、また、４２℃は入浴時の少し高めの湯温であるため、この範囲内の接触温度であれば、単に低温火傷を防止するだけではなく、心地良さを使用者に与えることができる。従って、搾乳を効果的に促進することができる。
【００１３】
また、好ましくは、前記被覆部は、前記搾乳口を有する略漏斗状のフード部の搾乳器本体に着脱される筒状部が挿通可能な貫通孔と、前記貫通孔から外側に拡がった拡張部とを有し、前記拡張部は、前記搾乳口の外周面に対応した形状とされていることを特徴とする。
このため、フード部を搾乳器本体から取り外し、フード部の筒状部を搾乳用加温具の貫通孔に通したり、貫通孔から外したりして、搾乳用加温具を搾乳口に着脱可能に接続することができる。従って、フード部とは別に搾乳用加温具を単独で電子レンジで加熱することができ、フード部（搾乳口を含む）の電子レンジで加熱することによる変形・溶融の恐れを防止できる。
また、貫通孔から外側に拡がった拡張部は、搾乳口の外周面に対応した形状なので、搾乳口が可撓性の低い樹脂から形成されていても、拡張部を搾乳口の外周面に密着させることができる。
【００１４】
また、好ましくは、前記搾乳口の外周面には、前記被覆部と係止して位置決めするための位置決め手段が形成されていることを特徴とする。
従って、搾乳用加温具が搾乳口に着脱される構造であっても、搾乳用加温具が搾乳口から外れてしまう恐れを有効に防止できる。
【００１５】
また、好ましくは、前記拡張部は、前記搾乳口の略ラッパ状の周方向に沿って配置され、かつ、前記周方向の一部が途切れていることを特徴とする。
即ち、拡張部は貫通孔から一部の周縁部（貫通孔と反対側の開口部の周縁部）までが切り欠き部とされており、そうすると、拡張部はこの途切れた切り欠き部分を拡げるようにして周方向の寸法を変化させることができる。従って、搾乳用加温具は、それを接続するフード部が大きくても、周方向の寸法を変化させて接続することができる。
【００１６】
また、好ましくは、前記被覆部は、弾性体であって、前記搾乳口の内周面に配置されることを特徴とする。
そうすると、授乳時に搾乳口に挿し入れた乳房と搾乳口の内周面に配置された被覆部とは直接的に接触することになる。
ここで、上述したように搾乳用加温具は低温火傷を防止するように乳房に接触する構成であるため、被覆部の厚みは所定の大きさを有している。そして、この厚みのある被覆部は弾性体であるため、搾乳時に乳房が搾乳器に吸い込まれた際、被覆部がクッションになって、痛みを和らげることができる。また、搾乳口の形状と乳房の形状が多少合致していなくても、乳房と被覆部とを密着させて乳首周辺の空間を負圧にし、確実に搾乳を行うことができる。
【００１７】
そして、上記課題は、上述したいずれかに記載の搾乳用加温具が接続された前記搾乳口と、前記搾乳口で囲まれた空間を負圧にするための搾乳器本体とを有する搾乳器により解決される。
この構成によれば、上述したように、発熱部はフェライトを有しているので、電子レンジで短時間に加熱でき、しかも、搾乳時間中は温度が大きく低下する事態も防止できる。
また、発熱部の温度が高くても、被覆部が熱的に緩衝材になって、乳房の低温火傷を防止でき、少なくとも搾乳口を乳房にあてがった際のヒヤッと感から生じる緊張を回避して、ホルモン分泌の減少を防止することもできる。
しかも、この被覆部は熱硬化性の樹脂であるため、変形・溶融することなく、接続される搾乳口に合った適切な形状を保持できる。
【００１８】
また、好ましくは、前記搾乳用加温具は前記搾乳口と分離不可能に接続されていることを特徴とする。
従って、搾乳口に搾乳用加温具を接続する手間が要らず、より簡単・迅速に搾乳を始めることができる。
【００１９】
また、好ましくは、前記搾乳口は、前記搾乳用加温具が接続される領域に温度センサを有し、前記温度センサの検出結果に基づいて、前記乳房の低温火傷を招く温度以上であることを使用者に報知する報知部が設けられていることを特徴とする。
従って、使用者が仕様とは異なる使い方をし、搾乳用加温具を電子レンジで加熱し過ぎたとしても、温度センサがそれを感知して、そのことを報知部で使用者に知らせ、使用者の火傷を防止することができる。
【発明の効果】
【００２０】
以上、本発明によれば、直ぐに温められ、かつ、その温度を可及的に維持でき、さらに、搾乳口を乳房に当てた際の緊張感を緩和する乳房加温具、及びこれを利用した搾乳器を提供することができる。
【図面の簡単な説明】
【００２１】
【図１】本発明の第１実施形態に係る搾乳用加温具を接続した搾乳器の概略中央縦断面図。
【図２】図１の搾乳用加温具の斜視図。
【図３】図１の搾乳用加温具が接続されたフード部の斜視図。
【図４】図１の搾乳用加温具とフード部の分解斜視図。
【図５】図１の搾乳用加温具が接続されたフード部の斜視図であり、搾乳用加温具の一部が切り欠かれた図。
【図６】発熱部の厚さとフェライト配合比率を変えた場合の測定試験であり、図６（Ａ）はその測定条件、図６（Ｂ）はその試験結果（搾乳口の内周面の温度）。
【図７】電子レンジの出力と加熱時間を変えた場合の測定試験であり、図７（Ａ）はその測定条件、図７（Ｂ）は試験結果（搾乳口の内周面の温度）。
【図８】被覆部の厚さを変えた場合の測定試験であり、図８（Ａ）はその測定条件、図８（Ｂ）は試験結果（搾乳口の内周面の温度）。
【図９】被覆部の表面温度の測定試験であり、図９（Ａ）はその測定条件、図９（Ｂ）は試験結果（被覆部の表面温度の温度）。
【図１０】電子レンジで加熱した図１の搾乳用加温具を搾乳口に接続した前後の搾乳口の内周面の温度の推移データ。
【図１１】本発明の第１実施形態に係る搾乳用加温具の変形例であり、図１１（Ａ）は第１変形例の断面を表した部分図、図１１（Ｂ）は第２変形例の断面を表した部分図。
【図１２】本発明の第１実施形態の第３変形例に係る搾乳用加温具を接続したフード部の斜視図。
【図１３】図１の搾乳用加温具を接続した搾乳器の変形例に係る斜視図。
【図１４】本発明の第２実施形態に係る搾乳用加温具を有するフード部の斜視図。
【図１５】図１４のＡ−Ａ断面図。
【図１６】本発明の第３実施形態に係る搾乳用加温具をフード部に接続して縦方向に切断した概略縦断面図。
【発明を実施するための形態】
【００２２】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図において付した同じ符号は同様の構成を有している。
【００２３】
〔第１実施形態〕
図１は、本発明の第１実施形態に係る搾乳用加温具１０と、これを利用した搾乳器２０の概略中央縦断面図である。なお、フード部１６と搾乳用加温具１０の部分については、断面を表す平行斜線は省略して図示している。
先ず、搾乳器２０について説明する。
図１の搾乳器２０は、乳児に直接母乳を与えることが困難な場合、乳頭が傷ついている場合、乳腺炎を予防する場合などに用いられ、本発明の例として手動式を示している。
この手動式の搾乳器２０は、使用者が手動で操作をして搾乳できる器具であり、自らが操作をするため、軽量であって、かつ、片手での操作を可能とし、疲労を軽減できるものが好ましい。
図１の搾乳器２０は、乳房にあてがわれる「フード部１６」、このフード部１６で囲まれた空間Ｓ１と連通した空間である連通部Ｓ３を有する「搾乳器本体２１」、この本体２１の連通部Ｓ３に負圧を発生させる負圧発生部材である「ダイヤフラム３０」、このダイヤフラム３０を変形させる操作部である「ハンドル６１」、搾乳した母乳を貯留するための「ボトル１１」を備えている。
本実施形態のフード部１６、ダイヤフラム３０、ハンドル６１、及びボトル１１は、好ましい態様として、搾乳器本体２１に対して着脱可能となっているが、本発明は必ずしもこれに限られず、本体２１に対して固定されていてもよい。
【００２４】
「フード部１６」はファネル、或いはブレストキャップ等とも言い、比較的軽く、かつ、硬質な合成樹脂材料により成形され、変形し難くなっており、例えば熱可塑性部材であるポリプロピレンからなるのが一般的である。
フード部１６は、全体的には漏斗状とされており、搾乳時に乳房を覆う略ラッパ状・略ドーム状の搾乳口１８と、この搾乳口１８の最も径の小さい縮径部１８Ａから延伸して搾乳器本体２１に着脱可能に接続される筒状部１９を有している。
【００２５】
搾乳口１８は、乳房が挿入される部分であり、乳房に対応した形状を有する内周面１８Ｂに囲まれた空間Ｓ１を有している。そして、最も径の大きい拡径部１８Ｃから乳房が挿し入れられ、空間Ｓ１に乳房が収まって、内周面１８Ｂに乳房が略密着し、これにより縮径部１８Ａ付近に配置された乳首周辺が密閉空間とされる。図の搾乳器２０の場合、この乳首周辺の密閉空間を負圧にすることで搾乳する構造となっている。なお、搾乳口１８は透明又は半透明である。
筒状部１９は、搾乳口１８の略中心線ＣＬに沿って延伸しており、搾乳口１８側と反対側の端部１９Ａが搾乳器本体２１に挿入され、搾乳器本体２１から搾乳時には抜けないように嵌合されている。本実施形態の筒状部１９は略円筒体とされているが、本発明はこれに限られるものではなく、例えば、正三角形体、正四角形体、正多角形体等であってもよい。
【００２６】
「搾乳器本体２１」は、比較的軽く、かつ、硬質な合成樹脂材料により成形されており、例えば、ポリプロピレン、ポリカーボネート、ポリシクロオレフィン、ポリエーテルサルフォン、ポリフェニルサルフォン等により形成されている。
搾乳器本体２１のフード部１６が装着される装着部１７は筒状であって、その内側に通気及び搾乳した母乳の通路とされる通気路２３を有している。通気路２３は、本体２１内の略中央部に形成された内部空間Ｓ２を介して、連通部Ｓ３と空間的に繋がっている。
連通部Ｓ３は負圧が付与される領域であり、この連通部Ｓ３を覆って封止するようにダイヤフラム３０が接続されている。そして、ダイヤフラム３０の変形により連通部Ｓ３を負圧状態にすると、内部空間Ｓ２と通気路２３を介して、フード部１６で囲まれた空間Ｓ１を負圧にすることができる。
【００２７】
本体２１の内部空間Ｓ２の下側はボトル１１に向かって開口しており、この開口した部分に弁２６が設けられている。弁２６はシリコーンゴム等の弾性体で形成され、先端にスリット２６ａを有している。スリット２６ａは、連通部Ｓ３を負圧状態にすると閉じ、負圧状態から解放すると開くようになっている。これにより、連通部Ｓ３を負圧状態にすると母乳を内部空間Ｓ２に引き込み、該負圧状態を解放するとスリット２６ａが開いて、内部空間Ｓ２にある母乳をボトル１１に落とすことができる。
【００２８】
本体２１の上部において、フード部１６と反対の位置には、アーム４８が延びている。このアーム４８の上端部には、ハンドル６１を取り付けるための支軸部４９が形成されている。
これにより、ハンドル６１は、本体２１の支軸部４９を中心に支軸部４９回り（図のＹ方向）に回動自在となり、この回動操作によりダイヤフラムは変形するようになっている。
【００２９】
「ダイヤフラム３０」は、負圧を発生させるための負圧発生部材であり、ハンドル６１の操作の作用を受けて変形し、連通部Ｓ３の空間の容積を変更することで、一定量の負圧を付与するようになっている。具体的には、ダイヤフラム３０はハンドル６１と結合部７０を介して連結されている。結合部７０は上方に突出し、例えばポリプロピレン、ポリカーボネート等の硬い合成樹脂で形成されている。なお、ダイヤフラム３０は、全体が比較的弾性に富んだ柔軟な変形材料、例えばシリコーンゴム、イソプレンゴム等により形成されている。
【００３０】
「ハンドル６１」は長尺の形状であり、比較的硬質であって軽量な合成樹脂、例えば、ポリプロピレン、ポリカーボネート、ポリシクロオレフィン、ポリエーテルサルフォン等で成形されている。
ハンドル６１は、ダイヤフラム３０の上方に配置されて、結合部７０と連結してダイヤフラム３０を持ち上げるリフト部６１Ａと、このリフト部６１Ａから曲折して搾乳器本体２１の側面に対応して位置するレバー部６１Ｂとを有する。
レバー部６１Ｂの外面側にそえた指ＦＧを本体２１に接近するように動かすことで、ハンドル６１が支軸部４９を中心に回動し、リフト部６１Ａが結合部７０を介してダイヤフラム３０を上に持ち上げ、これにより連通部Ｓ３の空間が大きくなって負圧状態となり、母乳が吸われる。これに対し、指ＦＧの力を弱めると、ダイヤフラム３０の弾性力が発揮して、ダイヤフラム３０は元の状態に復帰し、連通部Ｓ３の負圧状態が解消されると共に弁２６が開いて、吸った母乳はボトルに落ちる。
【００３１】
「ボトル１１」は、その瓶口の周囲に形成された雄ネジ部（不図示）を有し、搾乳器本体２１の下部内面に形成された雌ネジ部（不図示）と螺合されることで着脱可能になっている。尚、ボトル１１は、搾乳器２０の専用品でもよいし、上述した着脱構造に適合した哺乳瓶等を利用してもよく、また、成形された容器ではなく、袋状とされていてもよい。
【００３２】
ここで、上述した搾乳口１８には、搾乳口１８よりも高い温度で発熱して、搾乳口１８を加温するための発熱部１５を備えた搾乳用加温具１０が接続されている。
以下、この搾乳用加温具１０について、上述した図１と、図２〜図５を用いて説明する。
図２は、搾乳用加温具１０の斜視図、図３は搾乳用加温具１０を接続した状態のフード部１６の外周面（乳房が挿入される内側とは反対側の面）１８Ｄ側の斜視図、図４は搾乳用加温具１０とフード部１６の分解斜視図、図５は搾乳用加温具１０が接続されたフード部１６の斜視図であり、搾乳用加温具１０の一部が切り欠かれた図である。なお、図５の円で囲った図は、搾乳用加温具１０の切り欠かれた断面付近を拡大した図である。
【００３３】
搾乳用加温具１０は、本実施形態の場合、搾乳口１８の外周面１８Ｄに配置され、搾乳口１８を介して乳房にその発熱温度を伝達するものであり、発熱部１５、及び、発熱部１５を被覆する被覆部１２を有している。
発熱部１５は、マイクロ波エネルギーを吸収して発熱するフェライト（Ｆｅ２Ｏ４）が配合されている。フェライトはＭｇＣｕＺｎ系のフェライトであり、例えばスピネル型構造を有している。そして、発熱部１５は、粉末状のＭｇＣｕＺｎ系フェライトをベース材となるシリコーン樹脂に添加して混練し、これを焼成することで形成されている。シリコーン樹脂とフェライトの重量比は、シリコーン樹脂：フェライトを約２：１〜９：１とするのが適当であり、好ましくは約６：１〜９：１である。この点については、後で測定試験の結果を用いて詳細に説明する。
【００３４】
このフェライト配合シリコーン樹脂からなる発熱部１５は、薄い板状体（シート体）をリング状にして形成され、図５に示す厚みＤ２は約０．５〜３ｍｍが可能であり、好ましくは約０．５〜１.０ｍｍにするとよい。このように発熱部１５は厚み寸法が小さく、かつ、フェライトを軟質性のシリコーン樹脂に配合していることから、所定の弾力性及び可撓性を有している。このため、発熱部１５は、力を加えない状態では概ね平らなリング状であるが、被覆部１２にカバーされた際は可撓して略円錐筒状となる（この円錐筒の形状は被覆部１２で保持される）。円錐筒状の発熱部１５は、被覆部１２を介して搾乳口１８の外周面１８Ｄに配置された際に、外周面１８Ｄに収まる寸法であり、図の場合、幅Ｗ１は約１５ｍｍ、円周の長さは概ね２５０ｍｍである。以上のサイズの発熱部１５であれば、重量が左程大きくなることもなく、搾乳器を持つ腕への負担もそれ程増すわけではない。
【００３５】
被覆部１２は、発熱部１５が露出しないように発熱部１５の全体を覆って、発熱部１５から乳房に伝達される温度を低下させる緩衝材である。即ち、発熱部１５は電子レンジでマイクロ波を浴びると、かなり高温になり易くなっている（シリコーンとフェライトの配合比率にもよるが、通常の配合比率では１００度までは直ぐに上がってしまう）。このため、発熱部１５を覆う被覆部１２は、搾乳時に搾乳用加温具１０を付けた搾乳口１８の乳房への接触温度（図１の搾乳口１８の内周面１８Ｂの温度であり、好ましくは乳房への最初の接触温度）が、乳房の温度以上であって、かつ、乳房が火傷をしない温度となるように、その材料や厚みを工夫している。
さらに、搾乳には相当な時間を要し、個人差はあるものの片胸でも１０分程度を要することが多いことから、被覆部１２は、搾乳口１８が乳房に長時間接触することで生じる低温火傷を防止する構成とするが好ましい。この際、低温火傷は４６度では接触時間が３０分で起こる場合があることから、安全率をみて、乳房に接触している最中の接触温度は４６℃以下とするのがよい。
【００３６】
本実施形態の場合、被覆部１２は発熱部１５とは別体に形成され、熱伝導率が比較的低く、耐熱性の高いシリコーン樹脂で形成されている。即ち、発熱部１５のベース材となるシリコーン樹脂とは別に、更にシリコーン樹脂で発熱部１５を覆うことで、フェライトが存在しない所定の厚みを有する断熱層を形成し、これにより高温になり過ぎる発熱部１５の温度を下げている。なお、被覆部１２のシリコーン樹脂は、ミラブル型シリコーンと液状シリコーンのいずれであってもよい。
【００３７】
また、被覆部１２のシリコーン樹脂は、耐熱性に優れた熱硬化性樹脂であり、このため、電子レンジに入れて、その内側の発熱部１５が加熱しても変形・溶融することを防止できる。
図５に示すシリコーン樹脂からなる被覆部１２は、発熱部１５から搾乳口の外周面１８Ｄ側の面（内側面）１２Ｄまでの厚みＤ１として０．５〜３ｍｍが可能であり、好ましくは１〜２ｍｍにするとよい。これにより、搾乳用加温具１０の搾乳口１８を介した乳房への接触温度を、乳房の温度以上であって、かつ、少なくとも低温火傷をしない温度以下とすることができ、更には、使用者にとって心地の良い温度とすることができる。
【００３８】
また、被覆部１２は、搾乳口１８と反対側の表面１２Ｅの温度を、乳房への接触温度と同等以上であって、かつ、適正に発熱した搾乳用加温具１０を手で触った際に低温火傷をしない温度以下となるようにしている。従って、加熱した搾乳用加温具１０の温度を搾乳前に手で容易に感じられるようにして、過熱した搾乳用加温具１０の搾乳口１８への装着を躊躇させて、乳房の火傷を未然に防止できる。また、被覆部１２の該表面１２Ｅの温度は、搾乳用加温具１０を搾乳口１８に装着する際に低温火傷をしない温度以下となり、搾乳用加温具１０が着脱式であっても、手を火傷することなくフード部１６に装着できる。
図の場合、発熱部１５は、被覆部１２の厚み方向の中央部に配置されており、発熱部１５から被覆部１２の該表面１２Ｅまでの厚みＤ３を厚みＤ１と同様にし、適正に発熱した搾乳用加温具１０の該表面１２Ｅの温度を凡そ５０〜５３℃としている。該表面温度が５０〜５３℃であれば、十分、手で熱を感じて危険の察知が可能である。また、概ね２分間、該表面１２Ｅを直接手で触り続けても低温火傷することはなく、２分間あれば搾乳用加温具１０をフード部１６に装着可能である。
【００３９】
なお、本実施形態では、発熱部１５と被覆部１２とは別体に形成され、これらを組み合わせて形成されているが、両者を一体化して構わない。例えば、図５の一点鎖線で囲った図に示すように、シリコーン樹脂にフェライト粉末を配置した発熱部２の層を中央部に形成し、その上下にフェライトが存在しないシリコーン樹脂からなる被覆部３の層を形成するようにして、発熱部２の全周を被覆部３で囲んでも構わない。
【００４０】
図１〜図４に示すように、被覆部１２はそのまま搾乳用加温具１０の外形形状をなすものであり、被覆部１２の外形形状における特徴は搾乳用加温具１０の外形形状の特徴となる。
図の被覆部１２の外形形状は、搾乳口１８の外周面１８Ｄに対応して、全体として円錐筒型・ドーム型をしたリング状とされている。即ち、被覆部１２は、フード部１６の筒状部１９が挿通可能な貫通孔８を中央部に有している。貫通孔８は筒状部１９の外径よりも僅かに大きな円形状であり、その直径Ｌは約５０ｍｍである。これにより、搾乳用加温具１０は、搾乳器本体２１から取り外したフード部１６に対して着脱可能となり、従って、ポリプロピレン等の熱可塑性であって熱により変形・溶融する恐れのあるフード部１６から取り外して、電子レンジで加熱することができる。
【００４１】
また、図２及び図３に示すように、被覆部１２は、貫通孔８から外側に拡がった拡張部１２Ｂを有している。この拡張部１２Ｂが搾乳口１８に接続される部分であり、被覆部１２の外形形状をなし、本実施形態の場合、搾乳口１８の外周面１８Ｄに密着して配置可能なように、外周面１８Ｄに対応した円錐筒型・ドーム型をしたリング状とされている。
従って、被覆部１２は、拡張部１２Ｂが搾乳口１８の外周面１８Ｄに密着し、また、その材料であるシリコーン樹脂が弾性力を有しているため、グリップ力により搾乳口１８の外周面１８Ｄから位置ずれし難くなっている。
【００４２】
さらに、図３〜図５に示すように、搾乳口１８の外周面１８Ｄに対する拡張部１２Ｂの適正な配置を維持するため、外周面１８Ｄには、被覆部１２と係止して位置決めするための位置決め手段７７が設けられている。図の位置決め手段７７は、拡張部１２Ｂを搾乳口１８の外周面１８Ｄに配置した際の貫通孔８の縁８Ａの位置にあり、搾乳口１８の外周面１８Ｄから突出して形成されている。この突出度合い（位置決め手段７７の高さ）は、フード部１６の筒状部１９を貫通孔８に通してから、搾乳口１８の外周面１８Ｄに拡張部１２Ｂを配置する際、所定の可撓性を有する拡張部１２Ｂが乗り越えられる程度の低い高さである。
このように位置決め手段７７の高さが低くても、拡張部１２Ｂはシリコーン樹脂であって所定の弾性力を有することから、拡張部１２Ｂが位置決め手段７７を一旦乗り越えると、拡張部１２Ｂと位置決め手段７７とは係止されることになる。図の位置決め手段７７は同間隔で複数設けられ、夫々が貫通孔８の縁８Ａと同様に湾曲している。
なお、図２に示す拡張部１２Ｂは、貫通孔８と反対側の開口部１２Ｃの外縁部２４が、図１に示すように、搾乳口１８の拡径部１８Ｃ側に形成された凸部２９と係合する凹部２８を有し、これにより、搾乳時に搾乳用加温具１０が位置ずれする恐れをより効果的に防止しているが、位置決め手段７７があれば、この凸部２９と凹部２８の係合は必ずしも必要ではない。
【００４３】
〔測定試験について〕
図６〜図１０は、上述した実施形態と同様、約１ｍｍの厚さを有するポリプロピレン製の搾乳口の外周面に搾乳用加温具を密着させて、搾乳口の内周面の温度（これが乳房への接触温度となる）等を測定した試験結果である（なお、以下の図６〜図１０の説明において記載する符号については、図５に示す符号を参照）。
この測定試験により、上述した被覆部１２の発熱部１５から搾乳口の外周面側の面（内側面）１２Ｄまでの厚み方向の寸法Ｄ１が略１〜２ｍｍ、発熱部１５がシリコーン樹脂にフェライトを配合した略０．５〜１ｍｍの厚みを有する板状体、発熱部１２のシリコーン樹脂とフェライトの重量比が略３：１〜９：１であるのが適当であり、更には、発熱部１５のシリコーン樹脂とフェライトの重量比が略６：１〜９：１であるのがより好ましいことが分かる。以下、図毎に説明する。
【００４４】
図６は、発熱部１５の厚さＤ２とフェライト配合比率の夫々を変えた場合の測定試験であり、図６（Ａ）はその測定条件、図６（Ｂ）はその試験結果（搾乳口の内周面の最高温度）である。
図６（Ａ）に示すように、測定試験は、被覆部１２の発熱部１５から内側面１２Ｄまでの寸法（以下、「被覆部１２の厚さ」という）Ｄ１が２ｍｍである搾乳用加温具を、出力５００Ｗの電子レンジで６０秒間加熱した。そうしたところ、図６（Ｂ）に示すように、発熱部１５の厚みＤ２が０．５〜１ｍｍの場合、発熱部１２のシリコーン樹脂とフェライトの重量比が３：１〜９：１の範囲において、搾乳口の内周面の温度を３７〜４２℃にすることができた。３７℃は通常の体温よりも若干高めの温度、４２℃は入浴時の少し高めの湯温であるため、この範囲内の接触温度であれば、単に低温火傷を防止するだけではなく、積極的に心地良さを使用者に与えて、搾乳を効果的に促進することができる。なお、単に低温火傷を防止するだけであれば、発熱部１５を構成するシリコーン樹脂とフェライトの重量比を約２：１にすることも可能である。
【００４５】
図７は電子レンジの出力と加熱時間を変えた場合の測定試験であり、図７（Ａ）はその測定条件、図７（Ｂ）は試験結果（搾乳口の内周面の最高温度）である。
図７から分かるように、発熱部１５の厚さＤ２が１ｍｍ、被覆部１２の厚さＤ１が２ｍｍ、発熱部１５のシリコーン樹脂とフェライトの重量比が６：１の搾乳用加温具について、電子レンジが出力５００Ｗであっても１０００Ｗであっても、加熱時間を対応させることで、搾乳口の内周面の温度を３７〜４２℃にすることができる。
なお、例えば、発熱部１５のシリコーン樹脂とフェライトの重量比について、図７の６：１から９：１に測定条件を変更した場合、図６に示すように１〜２℃温度ほど低下するので、加熱時間をその分増やせば、搾乳口の内周面の温度を３７〜４２℃にできることが分かる。該重量比を３：１に測定条件を変更した場合も、図６に示すように２〜３℃温度ほど上昇するので、加熱時間をその分減らせば、搾乳口の内周面の温度を３７〜４２℃にできることも分かる。
また、発熱部１５の厚さＤ２についても、図７の１ｍｍから０．５ｍｍに測定条件を変更した場合、図６に示すように、１ｍｍに比べて１〜２℃の低下があるため、その分、加熱時間を増やせば、搾乳口の内周面の温度を３７〜４２℃にできることも分かる。
また、被覆部１２の厚さＤ１についても、図７の２ｍｍから１ｍｍに測定条件を変更した場合、後述する図８に示すように、２℃ほど上昇するので、その分、加熱時間を減らせば、搾乳口の内周面の温度を３７〜４２℃にできることも分かる。
以上のように、電子レンジの出力値と加熱時間は、被覆部１２の厚さＤ１が略１〜２ｍｍ、発熱部１５の厚さＤ２が０．５〜１ｍｍ、発熱部１５のシリコーン樹脂とフェライトの重量比が３：１〜９：１の範囲内である場合、加熱時間を大きく変えることなく、搾乳口の内周面の温度を３７〜４２℃にできることが分かる。このように電子レンジの出力値と加熱時間は種々の条件により変更して決めることができるため、先ず、目標とする搾乳口の内周面の温度（乳房への接触温度）を決め、次に、発熱部１５の厚さＤ２、被覆部１２の厚さＤ１、及び発熱部１５のシリコーン樹脂とフェライトの重量比を特定し、最後に、これらの条件を満たすように使用者側の使用条件として電子レンジの出力値と加熱時間を決めればよい。
【００４６】
図８は被覆部１２の厚さＤ１を変えた場合の測定試験であり、図８（Ａ）はその測定条件、図８（Ｂ）は試験結果（搾乳口の内周面の最高温度）である。
図８に示すように、発熱部１５のシリコーン樹脂とフェライトの重量比が６：１であって、発熱部１５の厚さＤ２が１ｍｍである場合には、被覆部１２の厚さＤ１が１〜２ｍｍの範囲内で、搾乳口の内周面の温度を４０〜４２℃とすることができた。
この点、発熱部１５のシリコーン樹脂とフェライトの重量比が９：１の場合は、６：１の時と比べて搾乳口の内周面の温度は低下（例えば、図６に示すように重量比が６：１の時と比べて１〜２℃低下）するので、該重量比が９：１の場合も、同様に被覆部１２の厚さＤ１が１〜２ｍｍの範囲内で、心地良さを与える３７〜４２℃の範囲内にできることが分かる。
しかし、該重量比が３：１の場合は、反対に搾乳口の内周面の温度は上昇するため、被覆部１２の厚さＤ１が１ｍｍの場合は、図８（Ｂ）に示す試験結果の４２℃を超えてしまうことが分かる。
従って、被覆部１２の厚さＤ１を１〜２ｍｍとする条件であれば、発熱部１５のシリコーン樹脂とフェライトの重量比は略６：１〜９：１とすることが、心地良さを与える観点からは好ましいことが分かる。
なお、単に低温火傷を防止するという観点の場合、搾乳口の内周面の温度は約４６℃以下であれば十分であり、図６と図８を併せて考慮すれば、被覆部１２の厚さＤ１を約１〜２ｍｍ、発熱部１５の厚さＤ２を約０．５〜１ｍｍ、発熱部１５のシリコーン樹脂とフェライトの重量比を約２：１（少なくとも３：１）〜９：１にすることで可能なことが分かる。
【００４７】
図９は被覆部１２の表面温度の測定試験であり、図９（Ａ）はその測定条件、図９（Ｂ）は試験結果（被覆部の表面温度の最高温度）である。
図９に示されるように、被覆部１２の厚さＤ１を２ｍｍ、発熱部１５の厚さＤ２を１ｍｍ、発熱部１５のシリコーン樹脂とフェライトの重量比を６：１にした場合、被覆部１２自体の表面温度は５３℃となる。
この点、５３℃は、約２分間、手で接触し続けて低温火傷する温度であり、２分間あれば、着脱可能な搾乳用加温具を搾乳口に接続できるので、低温火傷を防止することができる。また、該重量比が９：１の場合、被覆部１２自体の表面温度は５３℃を下回るため、同様に低温火傷を防止できることは分かる。しかし、フェライトに対するシリコーン樹脂の重量比が６を下回る場合は、場合によっては、低温火傷を防止可能な時間内で、搾乳用加温具を搾乳口に接続することが出来ないことが想定される。従って、この搾乳用加温具を搾乳口に接続するという点でも、発熱部１５のシリコーン樹脂とフェライトの重量比は略６：１〜９：１とすることがより好ましい。
なお、このように被覆部１２自体の表面温度は手で触れても、その温度を十分に感知できるため、過熱してしまった場合、使用者に搾乳用加温具の搾乳口への装着を躊躇させて、乳房の火傷を未然に防止することができる。
【００４８】
図１０は、被覆部１２の厚さＤ１を２ｍｍ、発熱部１５の厚さＤ２を１ｍｍ、発熱部１５のシリコーン樹脂とフェライトの重量比を６：１にし、出力５００Ｗの電子レンジで６０秒間加熱した場合、搾乳用加温具を搾乳口に接続した前後の搾乳口の内周面の温度の推移データである。なお、図１０では、乳房を実際に搾乳口に当てて搾乳口の内周面の温度を測定している。また、図１０のＡ点は、搾乳口に加熱した搾乳用加温具を装着した時、Ｂ点は搾乳口を乳房に当てた時、Ｃ点は搾乳口を乳房から一時的に外した時、Ｄ点は搾乳口を再び乳房に当てた時、Ｅ点は搾乳を終えて搾乳口を乳房から外した時である。
【００４９】
図１０に示すように、搾乳用加温具を搾乳口に装着する前の搾乳口の内周面の温度は約２５℃であったが、搾乳用加温具を加熱して約６０秒後に搾乳口の外周面に装着したＡ点から約９０秒後のＢ点（搾乳口を乳房に当てた時点であり、加熱後からは約１５０秒後）には約４０℃になっている。そして、搾乳口を乳房に当てたＢ点直後、急激に温度が低下していることから、搾乳口の内周面の温度が乳房に奪われていることが窺える。このことは、搾乳口を乳房に最初に接触した際、冷やっと感を防止できていることに他ならない。なお、実験以外の使用場面においても、搾乳口に加熱した搾乳用加温具を装着し終えた後、フード部を搾乳器本体に取り付けたり、洋服をめくったりするなどして、搾乳を始めるには相当の作業時間がかかるため、最初に搾乳口に乳房を接触させる際には、搾乳口の内周面の温度は（勿論、使用者の作業スピードにもよるが）３６度程度から最高温度に近似した温度に到達していることが推定できる。従って、搾乳口を乳房に最初に接触した際、冷やっと感を防止することができる。
【００５０】
さらに、図１０に示すように、搾乳口を乳房に当てたＢ点から温度が急激に低下した後、逆に搾乳口の内周面の温度は僅かに上昇し、その後は、搾乳口の内周面の温度は、乳房に接触させている限り、僅かに低下していくものの、左程大きな変化がないことが分かる。
なお、図１０のＣ点は搾乳口を乳房から一時的に外した点であり、Ｃ点以降、搾乳口を再び乳房に当てたＤ点まで、搾乳口の内周面の温度は低下している。このことから、実際の使用場面では、乳房の温度も搾乳口の内周面の温度に関与していることが窺える。そして、搾乳口を再び乳房に当てたＤ点から搾乳を終えたＥ点までは、僅かに搾乳口の内周面の温度を持ち直しつつ、概ねその温度を維持している。実験以外の使用場面でも、図１０と同様に搾乳口は乳房から何度か一時的に外すかも知れないが、その回数は少なく、基本的に搾乳口は乳房に当て続けられるため、図１０に示す試験のように搾乳が終わるまで乳房の温度を下回ることは殆どない。少なくとも搾乳口を乳房に最初に当てる際、搾乳口の内周面の温度は少なくとも乳房に近い温度まで上がっているため、冷やっと感を与えることはない。
【００５１】
以上の実験結果により、本発明の第１実施形態の構成によれば、図１に示す電子レンジで加熱した搾乳用加温具１０を搾乳口１８の外周面１８Ｄに密着するように接続させれば、搾乳する際に、搾乳口１８の内周面１８Ｂの乳房への接触温度が、乳房の温度以上であって、かつ、乳房が低温火傷をしない温度とすることが可能なことが分かる。
【００５２】
ところで、上述した実施形態の被覆部１２は、シリコーン樹脂を利用して、搾乳口１８の外周面１８Ｄに対応した形状に形成されているが、本発明は必ずしもこれに限られるものではなく、例えば、本発明の第１実施形態の第１〜第３の変形例を示した図１１及び図１２のようにしてもよい。
図１１（Ａ）は第１実施形態の第１変形例に係る搾乳用加温具１００の断面を表した部分図であり、図５の円で囲った図に対応している。
この搾乳用加温具１００の被覆部４０は、シリコーン樹脂からなる部材４１だけではなく、他の構成要素と組み合わせて形成されている。
即ち、被覆部４０は、その表面（図の場合は搾乳口の外周面側の表面）４０Ａと発熱部１５との間に中空空間４２を有している。中空空間４２は空気の層であって、熱伝導率がシリコーン樹脂に比べて小さいため、断熱効果を発揮して確実に被覆部４０の表面温度を下げ、乳房が低温火傷をしない温度、好ましくは乳房への接触温度を３７〜４２℃にすることができる。
そして、中空空間４２が断熱材となる分、シリコーン樹脂からなる部材４１の量を減らして、被覆部４０全体の重量の低減できる。
なお、図１１（Ａ）の被覆部４０では、シリコーン樹脂と空気との組み合わせであるが、本発明はこれに限られず、例えば、中空空間４２を大きくすることで、シリコーン樹脂よりも熱伝導率のよい熱硬化性樹脂（例えばエポキシ樹脂）と中空空間４２との組み合わせにしてもよい。
【００５３】
図１１（Ｂ）は第１実施形態の第２変形例に係る搾乳用加温具１０１の断面を表した部分図であり、図５の円で囲った図に対応している。
この搾乳用加温具１０１の被覆部４３は、搾乳口の外周面１８Ｄ側の表面４３Ａが、搾乳口の外周面１８Ｄに対して全体的には概ね対応した形状ではあるものの、凸部４５及び／又は凹部４６を有することで、フード部１６に接続した状態において、搾乳口の外周面１８Ｄとの間に空間Ｓが形成されるようになっている。
従って、この空間Ｓが断熱効果を発揮して、発熱部１５からフード部１６に伝わる熱を確実に減少させることができる。従って、空間Ｓが断熱効果を有する分、シリコーン樹脂の量を減らして、被覆部４３全体の重量を低減できる。
【００５４】
図１２は第１実施形態の第３変形例に係る搾乳用加温具１０２を接続したフード部１６の斜視図である。
この搾乳用加温具１０２は、上述した実施形態と同様、貫通孔８から外側に拡がり、搾乳口１８の略ラッパ状の周方向Ｒに沿って配置される拡張部１２Ｂを有しているが、図１２の拡張部１２Ｂは、該周方向Ｒの一部が途切れた途切れ部８０を有する。この途切れ部８０は、拡張部１２Ｂの貫通孔８から一部の外縁部２４まで延びる切り欠き部であるとも言え、一箇所に形成されている。
そうすると、拡張部１２Ｂは可撓性を備えた弾性体であるシリコーン樹脂をベースに形成されているため、この途切れ部８０の周方向Ｒの寸法を手で拡げることが可能である。従って、搾乳用加温具１０２は、それを接続しようとするフード部１６が多少大きくても、周方向Ｒの寸法を大きく変化させて接続することができる。
また、拡張部１２Ｂは弾性力も有するため、手で途切れ部８０の周方向Ｒの寸法を一時的に大きくして搾乳口に接続した後は、該弾性力により搾乳口１８への密着性を高めることができる。
なお、図１２の途切れ部８０は空隙となっているが、本発明はこれに限られるものではなく、例えば、途切れ部８０の領域に対して、被覆部１２のシリコーン樹脂よりも伸縮性の高い弾性体を配設してもよい。
【００５５】
〔第１実施形態の搾乳器の変形例〕
図１３は、図１の搾乳用加温具１０を利用した搾乳器１０３側の変形例に係る斜視図である。なお、図１３では、搾乳用加温具１０の一部を切り欠いて図示している。
図１３において、図１〜図１２で用いた符号と同一の符号を付した箇所は共通する構成であるから、重複した説明は省略し、以下、相違点を中心に説明する。
この搾乳器１０３では、搾乳用加温具１０は上述した第１実施形態と同じであるが、これを接続した搾乳器側の構成が異なっている。
【００５６】
即ち、図１３の搾乳器１０３は電動式になっており、搾乳ユニット５５と、この搾乳ユニット５５とパイプ４４により接続された圧力変更手段としてのポンプユニット５７とを備えている。
搾乳ユニット５５は、上述したボトル１１、フード部１６、及びこれらを着脱できる搾乳器本体２１を備えている。これらの構成は、後述するフード部１６に設けられた温度センサ５９を除き、既に説明したので省略する。
搾乳器本体２１の上部には、ポンプユニット５７で調整された圧力が伝えられる圧力伝達部５４が着脱可能に接続されている。圧力伝達部５４の密封された内側空間には、弾性力のあるダイヤフラム（不図示）が収容されており、このダイヤフラムの動きによりフード部１６内を負圧にしたり、その負圧状態を解除したりしている。
【００５７】
ポンプユニット５７は、この圧力伝達部５４と可撓性のパイプ４４を介して接続されている。ポンプユニット５７は、真空ポンプとして、スイッチＳＷがオンされると、搾乳ユニット５０の圧力伝達部５４内の空間を負圧に引いたり、この負圧状態から大気圧状態まで戻したりして、圧力の変動を連続して行い（これが脈動となる）、これにより、圧力伝達部５４内のダイヤフラムを動かしている。
また、図のポンプユニット５７には、負圧形成における脈動の周期を調整するためのサイクルノブ３８と、負圧の圧力を調整するためのツマミ３７が設けられている。
これらスイッチＳＷ、サイクルノブ３８、ツマミ３７は、ポンプユニット５７内の制御部６０と電気的に接続され、制御部６０はこれらのスイッチ類ＳＷ，３７，３８の作動に従って、真空ポンプ（不図示）を制御するようになっている。
制御部６０は、全体的な動作の制御を行うものであり、例えばワンチップのマイクロコンピュータを用いており、ＲＯＭ（読み出し専用メモリ）、ＲＡＭ（ランダムアクセスメモリ）、不揮発性メモリ、クロックを有している。
【００５８】
ここで、フード部１６は、搾乳用加温具１０が接続される領域（図の場合は、搾乳口１８の外周面１８Ｄであって発熱部と対向する領域）に温度センサ５９を有している。温度センサ５９は、搾乳用加温具１０の搾乳口１８側の面（即ち、図５に示す被覆部１２の内側面１２Ｄ）の温度を測定する測温計であり、サーミスタ薄膜形測温体等の公知のセンサを用いることができる。
そして、搾乳器１０３には、温度センサ５９からの信号ＳＧに基づいて、乳房の低温火傷を招く温度以上であることを使用者に報知する報知部２２が設けられている。報知部２２は、図ではポンプユニット５７に設けられたＬＥＤや液晶などからなる表示部である。
具体的には、温度センサ５９からの信号ＳＧは、ポンプユニット５７内の制御部６０に送信されるようになっている（図示していないが、データ信号ＳＧはパイプ４４内の信号線を通って制御部６０に送信される）。信号ＳＧを受信した制御部６０は、ＲＯＭに書き込まれたデータテーブルに基づいて、報知部２２を駆動させるか否かを決定する。データテーブルには、図６の「被覆部の内側面の温度」と、それに対応した「搾乳口の内周面の温度」のデータが格納されており、これにより、制御部６０は、例えば「被覆部の内側面の温度」が５９℃を超えていた場合、「搾乳口の内周面の温度」が４６℃を超えていると判断して、低温火傷になる恐れがあるという警告を図１３の表示部３７に出すように、表示部ドライバ６９に信号を送り、表示部ドライバ６９はその命令に基づいて報知部２２を駆動するようになっている。
【００５９】
本変形例の搾乳器１０３は以上のように構成されており、搾乳用加温具１０は手動式だけでなく電動式搾乳器にも利用可能であり、さらに、使用者が仕様とは異なる使い方をし、乳房加温具１０を加熱し過ぎたとしても、温度センサ５９がそれを感知して、報知部２２でそれを使用者に知らせることができる。即ち、乳房への搾乳口を介した接触温度が低温火傷を招く温度以下にするためには、上述したように、板状の発熱部がシリコーン樹脂にフェライトを配合したものであり、このシリコーン樹脂とフェライトの重量比が約２：１〜９：１、発熱部の厚みが０．５〜３ｍｍ、被覆部の発熱部から内側面までの厚みが０．５〜３ｍｍであることが必要である。この点、この構成で低温火傷を防止するには、使用者側の使用条件について、例えば５００Ｗの電子レンジであれば、加熱時間を約３０〜９０秒とする必要がある。しかし、この使用条件は使用者によっては守ることができない場合があり、その場合は低温火傷（火傷を含む）を起こす恐れがある。そこで、温度センサ５９が低温火傷を招く所要の温度以上となった場合、報知部２２でそのことを使用者に知らせるようにした。
なお、図１３では報知部２２は表示部とされているが、本発明はこれに限られず、報知部２２をブザーやスピーカーにして、温度センサ５９の検出結果に基づいて、音で使用者に危険を知らせてもよい。
【００６０】
〔第２実施形態〕
図１４は、本発明の第２実施形態に係る搾乳用加温具１０を有するフード部１０４の斜視図、図１５は図１４のＡ−Ａ断面図である。
これらの図において、図１〜図１３で用いた符号と同一の符号を付した箇所は共通する構成であるから、重複した説明は省略し、以下、相違点を中心に説明する。
図１４及び図１５のフード部１０４が上述した実施形態と異なるのは、搾乳用加温具１０を固定している点である。
【００６１】
すなわち、フード部１０４は、異なる素材である「搾乳口１８及び筒状部１９」と「搾乳用加温具１０」とを二色成形で一体的に形成することで、搾乳用加温具１０は搾乳口１８と分離不可能に接続されている。
具体的には、搾乳用加温具１０は、第１実施形態で説明した構成と同様、シリコーン樹脂にフェライトを配合した発熱部１５と、この発熱部１５の全体を覆う熱硬化性樹脂（例えばシリコーン樹脂）製の被覆部１２とを有し、この被覆部１２の部分が搾乳口１８と二色成形で形成されている。発熱部１５については、例えば、被覆部１２内に発熱部１５を収容可能な空間と、該空間と繋がった切れ目（不図示）とを形成し、該切れ目から発熱部１５を被覆部１２内の該空間に挿入した後、該切れ目を接着するなどして閉じればよい。
なお、搾乳口１８及び筒状部１９は、第１実施形態と同様に、ポリプロピレンなどの熱可塑性樹脂でも構わないが、もしも搾乳用加温具１０を加熱し過ぎた場合、熱可塑性樹脂では溶融の恐れもある。このため、搾乳口１８及び筒状部１９は熱硬化性樹脂から形成するのが好ましい。
【００６２】
本第２実施形態は以上のように構成され、このためフード部１０４に搾乳用加温具１０を接続する手間が要らず、より簡単・迅速に搾乳を始めることができる。また、本第２実施形態のフード部１０４には、図１に示す位置決め手段７７は不要である。
なお、図１５では、搾乳用加温具１０と搾乳口１８とを二色成形により固定しているが、接着剤により固定しても構わない（接着剤による場合は、上述した被覆部１２の切れ目は不要である）。
【００６３】
〔第３実施形態〕
図１６は、本発明の第３実施形態に係る搾乳用加温具１０５をフード部１６に接続して縦方向に切断した概略縦断面図である。なお、図１６の一点鎖線で囲った図は、発熱部６５と被覆部６６の周辺の拡大断面図であり、この拡大断面図を除き、図１６では断面を示す平行斜線は省略している。
図１６において、図１〜図１５で用いた符号と同一の符号を付した箇所は共通する構成であるから、重複した説明は省略し、以下、相違点を中心に説明する。
図１６の搾乳用加温具１０５が上述した実施形態と異なるのは、搾乳口１８の内周面１８Ｂに配置される点である。
【００６４】
即ち、図１６の搾乳用加温具１０５における発熱部６５や被覆部６６の素材は、図１〜図５の発熱部１５や被覆部１２と素材と基本的には同じであるが、その形状が異なっている。
具体的には、図１６の発熱部６５はシリコーン樹脂をベースにフェライトを配合した可撓性部材、被覆部６６はシリコーン樹脂からなる可撓性のある弾性体からなっているが、これら発熱部６５及び被覆部６６を含む搾乳用加温具１０５は、搾乳口１８の内周面１８Ｂに配置される構造とされ、乳房が直接、被覆部６６に接触するようになっている。
図１６の搾乳用加温具１０５では、搾乳口１８の拡径部１８Ｃ側において、搾乳口１８の内周面１８Ｂの形状に概ね沿った略ラッパ状とされ、搾乳口１８の内周面１８Ｂとの間に所定の空間Ｓ４を有するようにして、搾乳口１８の内側に入り込むようにして装着される。
また、搾乳用加温具１０５は、使用者の乳房を当接させた状態で、乳首が挿入される貫通孔７５と、この貫通孔７５よりも拡径部１８Ｃ側に設けられ、乳輪側に突出する同心円状の突出部であって、使用者の乳輪に当接する乳輪当接部７８と、この乳輪当接部７８よりも拡径部１８Ｃ側に設けられ、乳房側に突出する同心円状の突出部であって、使用者の乳房に密着する乳房密着部７９を備えている。
【００６５】
従って、搾乳用加温具１０５は、搾乳口カバーとしての機能も兼ねることができる。即ち、乳房が搾乳器に吸い込まれた際にクッションになり、痛みを和らげることができる。また、搾乳口１８と乳房の形状が合致していなくても、確実に乳房と搾乳用加温具１０５の被覆部６６とを密着させて乳首周辺の空間を負圧にし、搾乳を行うことができる。しかも、本実施形態の場合、乳房が被覆部６６内に受容された状態で、乳輪には乳輪当接部７８が当たるため、負圧による吸引力で母乳が吸い出されることに加えて、乳輪当接部７８がこの乳輪を効果的に押すことにより、母乳の出を良くすることができる。そして、乳房密着部８０が乳房に密接に面状に当接してシールすることにより、負圧の外部へのリークを防止するとともに、母乳の外部への漏れを効果的に防止することができる。
【００６６】
このような搾乳用加温具１０５は、搾乳口１８の外縁部２４に対して着脱可能に接続される。図の場合、被覆部６６の外面には、狭い溝状部７４を有する取付け部７６が設けられ、この溝状部７４に対して搾乳口１８のラッパ状に開いた外縁部２４が嵌入して装着される。なお、被覆部６６は所定の可撓性及び弾力性を有することから、この取付け部７４を手指にて外方にめくることが可能であり、これにより搾乳用加温具１０５を搾乳口１８から取り外すことができる。
【００６７】
ここで、被覆部６６は、発熱部６５から乳房と接触する内面８０までの厚み方向の寸法Ｄ４が、図５の厚み方向の寸法Ｄ１に比べて大きく、例えば約４ｍｍ以上とされている。また、図１６の発熱部６５の厚み方向の寸法Ｄ５は図５の寸法Ｄ２と同等以下とされ、０．５ｍｍ以下とされている。このようにして、図１６の被覆部６６の内面８０は乳房に直接接触しても低温火傷しない温度（約４６℃）以下となるようにされ、更に、乳房が接触した際のクッション性を高めている。
なお、被覆部６６の発熱部６５から内面８０までの寸法Ｄ４は上記寸法に限られることなく、例えば、発熱部６５のシリコーン樹脂とフェライトの重量比を９：１にして、発熱部６５を加熱し難くすることで該寸法Ｄ４を抑制して重量の増大を防止するようにしてもよい。但し、該寸法Ｄ４を小さくすることは、被覆部６６のクッション性を低下させることになるため、好ましくは、被覆部６６の内面８０とは反対側の外面８１から発熱部６５までの厚み方向の寸法Ｄ６を、該寸法Ｄ４に比べて小さくし、これにより、該寸法Ｄ４が大きくても、搾乳用加温具１０５の重量の大幅な増加を防止するとよい。
また、被覆部６６はＪＩＳ硬度２０ないし８０程度のシリコーン樹脂を使用するのが好ましく、これにより乳房が接触した際に好ましい弾力性を発揮することができる。
【００６８】
ところで本発明は上記実施の形態に限定されるものではなく、上述の実施形態の個別の構成は、必要により省略したり、説明しない他の構成と組み合わせたりしてもよい。
例えば、図１６の搾乳用加温具１０５をフード部１８と接続固定して構わない。
なお、上述した実施形態では、被覆部は低温火傷を防止するための部材となっているが、勿論、低温火傷以外の火傷も防止することができる。
【符号の説明】
【００６９】
１０，１００,１０１，１０２，１０４，１０５・・・搾乳用加温具、１２，４０，４３，６６・・・被覆部、８・・・貫通孔、１２Ｂ・・・拡張部、１５，６５・・・発熱部、１６・・・フード部、１８・・・搾乳口、１８Ｂ・・・搾乳口の内周面、１８Ｄ・・・搾乳口の外周面、１９・・・筒状部、２１・・・搾乳器本体、５９・・・温度センサ
【図１】
2018047043.tif 000003
【図２】
2018047043.tif 000004
【図３】
2018047043.tif 000005
【図４】
2018047043.tif 000006
【図５】
2018047043.tif 000007
【図６】
2018047043.tif 000008
【図７】
2018047043.tif 000009
【図８】
2018047043.tif 000010
【図９】
2018047043.tif 000011
【図１０】
2018047043.tif 000012
【図１１】
2018047043.tif 000013
【図１２】
2018047043.tif 000014
【図１３】
2018047043.tif 000015
【図１４】
2018047043.tif 000016
【図１５】
2018047043.tif 000017
【図１６】
2018047043.tif 000018